(57)【要約】【課題】屈曲寿命に優れたシールドケーブルを提供する。【解決手段】  導線の外周に、絶縁層、シールド層、絶縁シースが順次被覆されたシールドケーブルであって、前記シールド層が、打ち本数２４打、編組密度９２〜１００％の編組からなることを特徴とするシールドケーブル。特に前記絶縁層が、外径が５．９〜６．４ｍｍであり、前記編組が、持ち本数６〜１０本、素線径が０．１２５〜０．２１５ｍｍ、編組ピッチが１８〜５５ｍｍであることを特徴とするシールドケーブル。【選択図】図４
2006164753.tif 000002
【特許請求の範囲】
【請求項１】
導線の外周に、絶縁層、シールド層、絶縁シースが順次被覆されたシールドケーブルであって、前記シールド層が、打ち本数２４打、編組密度９２〜１００％の編組からなることを特徴とするシールドケーブル。
【請求項２】
前記絶縁層は、外径が５．９〜６．４ｍｍであることを特徴とする請求項１に記載のシールドケーブル。
【請求項３】
前記編組は、持ち本数が６〜１０本であることを特徴とする請求項１または請求項２に記載のシールドケーブル。
【請求項４】
前記編組は、素線径が０．１２５〜０．２１５ｍｍであることを特徴とする請求項１ないし請求項３のいずれかに記載のシールドケーブル。
【請求項５】
前記編組は、編組ピッチが１８〜５５ｍｍであることを特徴とする請求項１ないし請求項４のいずれかに記載のシールドケーブル。
【請求項６】
前記編組は、持ち本数が６本であり、
素線径が０．１３５〜０．１４５ｍｍかつ編組ピッチが１８〜２２ｍｍ、
素線径が０．２０５〜０．２１５ｍｍかつ編組ピッチが２７〜５５ｍｍ、
のいずれかであることを特徴とする請求項１ないし請求項５のいずれかに記載のシールドケーブル。
【請求項７】
前記編組は、持ち本数が７本であり、
素線径が０．１２５〜０．１６５ｍｍかつ編組ピッチが１８〜２２ｍｍ、
素線径が０．１５５〜０．１９５ｍｍかつ編組ピッチが２７〜３３ｍｍ、
素線径が０．１６５〜０．２０５ｍｍかつ編組ピッチが３６〜４４ｍｍ、
素線径が０．１７５〜０．２１５ｍｍかつ編組ピッチが４５〜５５ｍｍ、
のいずれかであることを特徴とする請求項１ないし請求項５のいずれかに記載のシールドケーブル。
【請求項８】
前記編組は、持ち本数が８本であり、
素線径が０．１３５〜０．１４５ｍｍかつ編組ピッチが１８〜３３ｍｍであることを特徴とする請求項１ないし請求項５のいずれかに記載のシールドケーブル。
【請求項９】
前記編組は、持ち本数が９本であり、
素線径が０．１３５〜０．１４５ｍｍかつ編組ピッチが２７〜４４ｍｍであることを特徴とする請求項１ないし請求項５のいずれかに記載のシールドケーブル。
【請求項１０】
前記編組は、持ち本数が１０本であり、
素線径が０．１２５〜０．１３５ｍｍかつ編組ピッチが２７〜５５ｍｍ、
素線径が０．１３５〜０．１４５ｍｍかつ編組ピッチが３６〜５５ｍｍ、
のいずれかであることを特徴とする請求項１ないし請求項５のいずれかに記載のシールドケーブル。
【請求項１１】
前記編組は、素線が銅または銅を主成分とする合金からなることを特徴とする請求項１ないし請求項１０のいずれかに記載のシールドケーブル。
【請求項１２】
前記編組は、素線が錫めっきされた銅線であることを特徴とする請求項１１に記載のシールドケーブル。
【発明の詳細な説明】
【技術分野】
【０００１】
本発明はシールドケーブルに関し、特にシールド層が編組により形成されたシールドケーブルに関する。
【背景技術】
【０００２】
従来より、工場や車両におけるセンサや電装品の電気的接続用の配線等には、外部からのノイズや外部へ放出するノイズをカットするため、導線（コア線）の外周にシールド層を設けた電線（以下、「シールドケーブル」という）が多く使用されている。例えば自動車の場合においては、車載カメラ、カーナビ等の車載マルチメディア用の配線等である。
【０００３】
はじめに、図１を参照しつつ、従来のシールドケーブルの構造を説明する。
図１は、従来のシールドケーブルの一例について、シールドケーブルの各部の階層構造を示す概念図である。図１において、１０は電力用あるいは信号用の導線（コア線）であり、銅合金の細線１１を多数撚って１本の円形の線に束ねたものである。２０は、前記コア線１０の外周を被覆する絶縁層（絶縁被覆）である。３０は、シールドケーブルの外皮ともなる絶縁シースである。４０は、シールド層であり、電磁波をシールドするため、前記絶縁層２０の外周を覆うと共に絶縁シース３０に外周が被覆されている。
【０００４】
次に、図２を参照しつつ、このシールドケーブルのシールド層４０について説明する。
図２は、シールド層４０の構造を概念的に示す図面である。図２の（１）は、図１に示すシールドケーブルにおいて、中央はその外皮である絶縁シース３０を取去った状態を、左側はシールド層４０をも取去った状態の側面図である。図中、４１はシールド層を構成する金属細線の束（素線束）であり、この素線束を織って網状の構造（以下、「編組」という）のシールド層４０を形成している。図から明らかなように、シールド層４０は、絶縁層２０の外周に逆方向から２組の素線束４１が螺旋状に巻かれた構造になっている。さらに、これら２組の束４１は、交互に他方の組束の下に入り込むように織られてなる。
【０００５】
図２の（２）に、この編組を構成する素線束４１の断面を示す。図中、４２は素線である。図から明らかなように、素線束４１は、細い金属製の細線４２が横方向に複数並列に配置されたものである。１本の素線束を構成する素線の数を持ち本数と言う。素線径（直径）は、０．０８ｍｍ程度である。また、素線の材質は、銅合金等が用いられている。
【０００６】
この素線束４１は、絶縁層２０の外周に螺旋状に巻かれているため、絶縁層２０の線方向には、あるピッチで同じ素線束４１がくる。このピッチ（編組ピッチ）をｐとし、絶縁層２０の直径と素線束４１の厚さの合計をｘとしたとき、ｐ＝ｘ×π／ｔａｎαと言う関係が成立する。ここに、αは、素線束４１が絶縁層２０の線方向となす角度であり、編組角とも言われる。
一般的には、編組ピッチは、ｘが６ｍｍ程度のとき、５０ｍｍ程度である。
この編組を構成する素線束４１の数を打ち本数と言う。打ち本数は、偶数、特に４の倍数が一般的である。
【０００７】
また、素線束４１は厚みを有するため、２方向の素線束４１が重なってできる４角形の頂点部分には、素線束４１に覆われない隙間ができる。これを、図２の（３）に４９により示す。絶縁層２０の全表面積に対して素線束４１が覆う部分の面積の比を編組密度と言う。この編組密度は、シールド性能上は出来るだけ１００％に近いのが理想的であるが、柔軟性（屈曲性）の確保と製造コストの面から、８５ないし９０％とされている。
【０００８】
なお、シールドケーブルには、絶縁被覆したコア線の他にドレイン線をもシールド層で被覆し、さらに絶縁シースで被覆した構造のものもある。
また、シールド層は、編組でなく、銅箔若しくはアルミ箔付のＰＥＴテープ等が使用されることもある。
【特許文献１】特開平１−２３２９２３号公報
【特許文献２】特開平９−５１８７０号公報
【特許文献３】特開平９−７５２９８号公報
【特許文献４】特開平９−８４７４９号公報
【特許文献５】特開平９−１１７４０９号公報
【発明の開示】
【発明が解決しようとする課題】
【０００９】
近年、機器の安全性、信頼性の確保の要求は、厳しくなっている。
シールドケーブルもその例外ではない。即ち、例えば自動車への使用であれば、前記車載マルチメディアへの使用のみならず、自動車そのものが電気自動車、ハイブリッドカー、オフロードカーやオフロードバイク等が開発され、整備されつつある。これらへ採用されるため、なおさら安全性、信頼性が確保されたシールドケーブルであることが必要である。
即ち、これらの自動車は、種々の過酷な用途に、それも長期にわたって使用され得るだけに、車体のみならずシールドケーブルも、従来以上の機械的強度が、特に長期の屈曲寿命があることが必要とされる。
【００１０】
特に、シールドケーブルのシールド層の構造が、編組から構成されている場合には、構造が複雑なだけに、より従来以上の屈曲寿命を有するシールドケーブルの開発が望まれていた。
また、編組の素線が曲げ疲労等で破断すると、鋭利な破断面が絶縁被覆や絶縁シースを傷つけ、屈曲寿命を短くするだけでなく、シールド性能も劣化させる。このため、繰り返し曲げ加重が作用しても、素線が破断しない編組の開発が望まれていた。
また、内側にある絶縁被覆、外側にある絶縁シースとの相性が良好であること、安価であること、シールド性能が良好であること等他の性能についても、一層優れたものの開発が望まれていた。
【課題を解決するための手段】
【００１１】
本発明者は、鋭意検討の結果、編組を特定の打ち本数、編組密度、持ち本数、編組ピッチにすることにより、前記課題を解決させることができることを見出し、本発明を完成させるに至った。
請求項１に記載の発明は、導線の外周に、絶縁層、シールド層、絶縁シースが順次被覆されたシールドケーブルであって、前記シールド層が、打ち本数２４打、編組密度９２〜１００％の編組からなることを特徴とするシールドケーブルである。
ここに、導線には、単線、撚線が含まれる。また、ドレイン線等が含まれていてもよい。
【００１２】
シールド層を編組で構成し、かつ、打ち本数、編組密度を前記の範囲にすることにより、高い屈曲性能とシールド性能を有するシールドケーブルを得ることができる。
【００１３】
打ち本数が２４打の場合において、編組密度を前記の範囲未満にすると編組の素線の一部が、図２の４９で示す隙間に落ち込み、素線の束に乱れや素線の断線が生じやすくなり、屈曲性能、シールド性能を低下させることとなる。
【００１４】
請求項２に記載の発明は、前記のシールドケーブルであって、前記絶縁層は、外径が５．９〜６．４ｍｍであることを特徴とするシールドケーブルである。
外径は６．０〜６．２ｍｍがより好ましい。
また、素線の断面は完全な円形でなく、多少歪んでいてもよい。
【００１５】
請求項３に記載の発明は、前記のシールドケーブルであって、前記編組は、持ち本数が６〜１０本であることを特徴とするシールドケーブルである。
外径が５．９〜６．４ｍｍである場合には、持ち本数が７本であるのが特に好ましい。
【００１６】
請求項４に記載の発明は、前記のシールドケーブルであって、前記編組は、素線径が０．１２５〜０．２１５ｍｍであることを特徴とするシールドケーブルである。
素線径は、０．１４±０．００５ｍｍであるのが特に好ましい。
【００１７】
請求項５に記載の発明は、前記のシールドケーブルであって、前記編組は、編組ピッチが１８〜５５ｍｍであることを特徴とするシールドケーブルである。
編組ピッチは、１８〜２２ｍｍが好ましく、１９〜２１ｍｍがより好ましい。
【００１８】
請求項６に記載の発明は、前記のシールドケーブルであって、前記編組は、持ち本数が６本であり、
素線径が０．１３５〜０．１４５ｍｍかつ編組ピッチが１８〜２２ｍｍ、
素線径が０．２０５〜０．２１５ｍｍかつ編組ピッチが２７〜５５ｍｍ、
のいずれかであることを特徴とするシールドケーブルである。
【００１９】
請求項７に記載の発明は、前記のシールドケーブルであって、前記編組は、持ち本数が７本であり、
素線径が０．１２５〜０．１６５ｍｍかつ編組ピッチが１８〜２２ｍｍ、
素線径が０．１５５〜０．１９５ｍｍかつ編組ピッチが２７〜３３ｍｍ、
素線径が０．１６５〜０．２０５ｍｍかつ編組ピッチが３６〜４４ｍｍ、
素線径が０．１７５〜０．２１５ｍｍかつ編組ピッチが４５〜５５ｍｍ、
のいずれかであることを特徴とするシールドケーブルである。
【００２０】
請求項８に記載の発明は、前記のシールドケーブルであって、前記編組は、持ち本数が８本であり、
素線径が０．１３５〜０．１４５ｍｍかつ編組ピッチが１８〜３３ｍｍであることを特徴とするシールドケーブルである。
【００２１】
請求項９に記載の発明は、前記のシールドケーブルであって、前記編組は、持ち本数が９本であり、
素線径が０．１３５〜０．１４５ｍｍかつ編組ピッチが２７〜４４ｍｍであることを特徴とするシールドケーブルである。
【００２２】
請求項１０に記載の発明は、前記のシールドケーブルであって、前記編組は、持ち本数が１０本であり、
素線径が０．１２５〜０．１３５ｍｍかつ編組ピッチが２７〜５５ｍｍ、
素線径が０．１３５〜０．１４５ｍｍかつ編組ピッチが３６〜５５ｍｍ、
のいずれかであることを特徴とするシールドケーブルである。
【００２３】
請求項１１に記載の発明は、前記のシールドケーブルであって、前記編組は、素線が銅または銅を主成分とする合金からなることを特徴とするシールドケーブルである。
【００２４】
請求項１２に記載の発明は、前記のシールドケーブルであって、前記編組は、素線が錫めっきされた銅線であることを特徴とするシールドケーブルである。
【発明の効果】
【００２５】
本発明は、シールド層の編組の構成を特定の構成にしたため、高い屈曲性能とシールド性能を有するシールドケーブルを提供することができる。
【発明を実施するための最良の形態】
【００２６】
以下に本発明の実施例および比較例を示す。なお、本発明は、以下の実施例に限定されるものではない。本発明と同一および均等の範囲内において、以下の実施例に対して種々の変更を加えることが可能である。
（実施例）
本実施例は、絶縁被覆の外形が６．１ｍｍ、シース外形が８．４ｍｍのシールドケーブルのシールド層の編組である。その要目を、以下に示す。
打ち本数              ２４打
持ち本数                ７本
素線径            ０．１４ｍｍ
編組ピッチ            ２０ｍｍ
編組断面積        ２．５９ｍｍ２
編組密度              ９７%
素線の材料        銅合金（０．２重量％の錫を含む銅）
【００２７】
シールドケーブルそのものは、前記シールド層の編組の構造を除き、図１に示す従来のものと同じである。以下、その要目を示す。
導線（コア線）    公称サイズ    ８．０ｍｍ２
導体材料      銅合金
導体撚径      ４．５ｍｍ
絶縁層            材料          ポリエチレン
（導線の被覆）    絶縁厚        ０．８ｍｍ
仕上外形      ６．１ｍｍ
絶縁シース        シース材料    ポリウレタン
（シールド線外皮）シース厚      ０．８ｍｍ
仕上外形      ８．４ｍｍ
【００２８】
（比較例）
前記実施例の性能を評価するため、シールド層の編組の材料と編組ピッチを除き前記実施例と同じシールドケーブルを製造した。以下、実施例と相違する部分のみ記す。
編組ピッチ        ５０ｍｍ
編組密度          ８６％
素線の材料        錫めっき軟銅
【００２９】
（試験装置と試験方法）
以上のシールドケーブルを、図３に示す装置を使用して屈曲寿命の試験を行った。
図３において、５０はシールドケーブルであり、４０はその絶縁シースを取去ってシールド層を露出させた部分である。６０は、屈曲寿命の試験装置である。この試験装置６０は、錘６１と、２個のローラ６２、６３とチャック６４と、断線検知装置６５および図示しない曲げ機構を有する。
【００３０】
この試験装置６０へのシールドケーブル５０の装着は、図３に示すように、シールドケーブル５０の上方をチャック６４で挟み込み、下部に錘６１を吊下げる。これにより、シールドケーブル５０には、４．９Ｎの引っ張り力が作用するようにしている。また、シールドケーブル５０の中央上部寄りを２個のローラ６２、６３が軽く挟み移動を拘束している。
また、シールドケーブル５０の上下の端部は、露出させたシールド層４０を各々断線検知装置６５のプラス側とマイナス側の電線に電気的に接続させている。
【００３１】
以上の下で、図示しない曲げ機構により、チャック６４ごとシールドケーブル５０の上部をローラ６２、６３で軽く挟んだ部分を軸に、左方に９０度曲げ、しかる後元の位置に戻す。従って、シールド線は左方に曲がった後再び垂直方向を向く。そしてこの屈曲を一定の速度で繰り返す。なお、ローラ６２、６３の半径は３０ｍｍである。
前記断線検知装置６５は、シールド層４０の電気抵抗を測定しており、シールド層４０を構成する素線が屈曲による曲げ疲労で破断すれば、その分電気抵抗が増加する。このため、シールド層の電気抵抗の増加を検出することにより、素線の破断の程度を検知することが可能となる。
【００３２】
（試験結果）
前記試験装置により、室温２３℃の下で６０回／分の速度で６０万回の屈曲試験を行った。
実施例と比較例の試験結果を図４に示す。
図４の（１）が実施例であり、図４の（２）が比較例である。実施例のシールドケーブルは、６０万回の屈曲試験において、何ら電気抵抗の上昇が見受けられない。
一方、比較例は僅かではあるが１０万回辺りから電気抵抗の増加が見られ始め、２５万回では顕著に増加し、４２万回辺りでは増加が著しい。即ち、素線の破断が著しい。
【００３３】
（シールド効果）
前記実施例と比較例のシールドケーブルについて、シールドの目的である電磁波の遮蔽効果の比較試験を行った。試験方法は、吸収クランプ法を用い、供試電線からの電流の漏れを周波数帯ごとに吸収クランプを電線に沿って移動させ、ピークを測定した。そして、シールド無し電線とシールド付き電線の測定値の差をシールド効果とした。その結果を、図５に示す。図５に示すように、実施例の編組を使用したシールドケーブルのシールドの遮蔽効果は、０．０１ないし１ＭＨｚの周波数範囲において、比較例に遜色がない。
【００３４】
（絶縁材料との相性）
前記屈曲試験後に、シールドケーブルのコア線と絶縁層、絶縁層と編組、編組と絶縁シースとの接触部の損傷を肉眼で観察した。この結果、剥離や亀裂の発生等の損傷は見受けられなかった。
（その他の実施例）
以上の他、打ち本数２４の下で、持ち本数、素線径および編組ピッチを種々変えて種々の編組構造を有するシールドケーブルを試作し、それらの屈曲試験を行った。
打ち本数２４の下で、持ち本数６〜１０、素線径０．１３〜０．２１ｍｍ、編組ピッチ２０〜５０ｍｍの範囲で特に好ましい結果が得られたものを、表１に示す。
【００３５】
【表１】
2006164753.tif 000003
【図面の簡単な説明】
【００３６】
【図１】従来のシールドケーブルの構造を示す概念図である。
【図２】シールド層の編組の構造を示す概念図である。
【図３】シールド層の曲げ寿命の試験装置と試験方法を示す図である。
【図４】シールドケーブルの屈曲性能試験の結果を示す図である。
【図５】シールドケーブルのシールド性能試験の結果を示す図である。
【符号の説明】
【００３７】
１０        導線
１１        細線
２０        絶縁層
３０        絶縁シース
４０        シールド層
４１        素線束
４２        素線
５０        シールドケーブル
６０        屈曲寿命試験装置
６１        錘
６２、６３  ローラ
６４        チャック
６５        断線検知装置
【図１】
2006164753.tif 000004
【図２】
2006164753.tif 000005
【図３】
2006164753.tif 000006
【図４】
2006164753.tif 000007
【図５】
2006164753.tif 000008